【事件の表示】
　平成　６年特許願第２４１３７４号「磁気ディスク装置」拒絶査定不服審判事件〔平成　８年　４月２３日出願公開、特開平　８−１０６７０７〕について、次のとおり審決する。
【結　論】
　本件審判の請求は、成り立たない。
【理　由】
１．手続の経緯・本願発明
　本件審判の請求に係る特許出願（以下「本願」という。）は、平成６年１０月５日に出願されたものあって、平成１５年１０月１日付けで拒絶査定がなされたところ、平成１５年１１月６日付けで特許法第１２１条第１項の審判請求がなされたものである。そして、本願請求項１乃至６に係る各発明は、平成１８年５月１日付けの手続補正の特許請求の範囲の請求項１乃至６に記載された事項により特定されるものと認められるところ、そのうち請求項１に係る発明は以下のとおりのものである。
　「【請求項１】　磁気ディスク上のデータを読み書きするヘッドと、このヘッドの読み書き制御回路と、ヘッドによってディスクに読み書きされるデータを処理する処理回路とを備えた磁気ディスク装置であって、磁気ディスクのデータ面に、ヘッドの位置決め用のサーボ情報が一定の間隔でセクタ状に配置されると共に、あるセクタのデータ部が前記サーボ情報によって分裂して記録される際の、データ部の分裂位置の情報と、あるセクタのデータ部に媒体欠陥がある時に、その媒体欠陥部を使用せずにデータを分裂させた時に発生するデータ部の分裂位置の情報の両方が、前記磁気ディスクのデータ面の各セクタのＩＤ部に記録されているエンベデッドサーボ方式の磁気ディスク装置において、
　前記サーボ情報と前記媒体欠陥部による前記データ部の両方の分裂位置の情報が、前記磁気ディスク装置に内蔵された記憶手段に記録されていることを特徴とする磁気ディスク装置。」（請求項記載の各構成要素に付された符号は省略した。以下「本願発明」という。）
　
　
２．刊行物及びその記載
　これに対して、当審で通知した平成１８年２月２７日付けの拒絶理由で引用した特開平５−３０３８３４号公報（以下「刊行物１」という。）、及び、特開平６−９６５２６号公報（以下「刊行物２」という。）には、それぞれ以下の記載がある。
　(1)刊行物１の記載
　刊行物１は、「本発明は、磁気ディスクの内外周でトラック当りのセクタ数を可変してマルチ転送レートでデータを記録再生するセクタサーボ方式の磁気ディスク及びその駆動装置にかかり、更に具体的には、論理セクタの割付けとセクタサーボの改良に関する」としてなされた、「磁気ディスク及びその駆動装置」に関する発明について、以下の記載がある。
　 (i)「【請求項１】　内外周でトラック当りのセクタ数を可変して、マルチ転送レートでデータの書込み，読出しが行われる磁気ディスクにおいて、前記セクタのサーボ情報を各トラックで共通する位置に記録し、多数のトラックを複数のゾーンに分割するとともに、各ゾーン内では同数となり、ゾーン間では内外周差に対応した数となるようにセクタを設定したことを特徴とする磁気ディスク。
【請求項２】　請求項１記載の磁気ディスクにおいて、前記複数のゾーンのうちの１つは、サーボ情報と同数のセクタが設定されていることを特徴とする磁気ディスク。
【請求項３】【請求項４】　・・・（省略）・・・」（【特許請求の範囲】）
　 (ii)「【００１３】本実施例にかかる磁気ディスクの物理セクタの割付けは図５の従来技術と同様であり、適当な間隔で放射状に４８個のサーボ領域ＳＶ１，ＳＶ２，ＳＶ３，……，ＳＶ４８が設けられており、それらの間の物理セクタＳ１，Ｓ２，Ｓ３，……も従来と同様である。このように、サーボ信号については、従来の一般的なセクタサーボ方式に従っており、サーボ信号の時間的位置はトラックの内外周で同じであり、サーボ領域ＳＶ１，ＳＶ２，……のサーボ信号と物理セクタＳ１，Ｓ２，……の位置は同期している。
　　　　　　　　・・・　（以下省略）　・・・
【００１４】次に、図１及び図２を参照しながら、本実施例の論理セクタの割付けについて説明する。図１には、本実施例にかかる磁気ディスクの論理セクタの割付けが示されている。また、図２には、図１の論理セクタ構造が周方向に切り開かれて示されている。これらの図において、多数のトラックは、ゾーンＺ１，Ｚ２，Ｚ３，Ｚ４，Ｚ５に分割されている。そして、各ゾーン内では同一の論理セクタの割付けとなっている。
【００１５】上述したように、図５の物理セクタＳ１，Ｓ２，Ｓ３，……に対してそのままデータの記録を行うと外周側で余裕ができる。そこで、内外周でほぼ同一の線記録密度とし、外周側のデータ記録密度を内周側よりも高くすることによってディスクのメモリ容量を大きくすることが可能となる。しかし、１論理セクタ当たりのフォーマット容量は、例えば５１２バイト（実際にはＳＹＮＣバイトその他が付加される）に固定されているのに対し、トラックの内外周におけるヘッドと磁気ディスクとの間の相対線速度差は約１．５にもなる。従って、内外周ほぼ同じ線記録密度でデータを記録するためには、１サーボ区間当たりのフォーマット容量を可変する必要がある。
【００１６】そこで本実施例では、前記物理セクタＳ１，Ｓ２，……とは異なる論理セクタの割付けを行い、１サーボ区間のフォーマット容量を５１２バイトに固定しないで１バイト単位で増減する構造としている。すなわち、ゾーンＺ１からゾーンＺ３では１サーボ区間内に５１２バイト以上のフォーマットとなっており、ゾーンＺ４では５１２バイトのフォーマットとなっている。しかし、ゾーンＺ５では５１２バイト以下のフォーマットとなっている。
【００１７】例えば、ゾーンＺ１について説明すると、サーボ領域ＳＶ１〜ＳＶ２の間の物理セクタＳ１のアンフォーマット容量は７５５バイトあるのに対し、１論理セクタのアンフォーマット容量は５８０バイト以上あればよい。従って、第１のサーボ区間ΔＳ１（図１，図２（Ａ）参照）には、第１の論理セクタＬＳ１と第２の論理セクタＬＳ２の前部分の１６３バイトを入れる（図１，図２（Ｄ）参照）。
【００１８】同様にして、次のサーボ区間ΔＳ２（図１，図２（Ａ）参照）には、第２の論理セクタＬＳ２の後部分の４５３バイトと第３の論理セクタＬＳ３の前部分の３０２バイトを入れる（図１，図２（Ｄ）参照）。以降、同様にして順に図示のように論理セクタが割付けられていく。ゾーンＺ２及びゾーンＺ３についても、サーボ区間ΔＳ１，ΔＳ２，……のアンフォーマット容量がゾーンＺ１と異なるものの同様にして論理セクタの割付けが行われる。
【００１９】次に、ゾーンＺ４については、サーボ区間ΔＳ１，ΔＳ２，……のアンフォーマット容量が５８０バイトとなっており、１サーボ区間が１物理セクタに対応するとともに１論理セクタにも対応する。従って、１サーボ区間に５８０バイトが入り（図１，図２（Ｆ）参照）、ゾーンＺ４に限っていえば図５の従来技術と同様のセクタ割り当てとなっている。
【００２０】次に、ゾーンＺ５については、ゾーンＺ１と逆にサーボ区間ΔＳ１，ΔＳ２，……のアンフォーマット容量が５６６バイトと狭いので、１サーボ区間に１論理セクタの５８０バイトを入れることができない。そこで本実施例では、サーボ区間ΔＳ１（同図（Ａ）参照）には、第１の論理セクタＬＳ１の前部分の５６６バイトを入れる（図２（Ｈ）参照）。そして、残りの５０バイトを次のサーボ区間ΔＳ２に入れる（同図（Ｈ）参照）。このサーボ区間ΔＳ２には、第２の論理セクタＬＳ２の前部分の５１６バイトも入る（同図（Ｈ）参照）。以降、同様にして順に図示のように論理セクタが割付けられていく。図２（Ｂ）には、データ記録の開始点を示すインデックスパルスが示されている。
【００２１】図３（Ｄ）には、ゾーンＺ１の論理セクタにおける詳細なデータフォーマットの一例が示されている。なお、同図（Ａ）〜（Ｃ）は図２の（Ａ）〜（Ｃ）と同様である。第２の論理セクタＬＳ２について説明すると、第１のサーボ区間ΔＳ１に入れられている部分の先頭から、ＳＹＮＣ（１６バイト），ＩＤ（１５バイト），ＳＹＮＣ（１６バイト），ＤＡＴＡ（１０８バイト），ＰＡＤ（３バイト）の順となっている。次に、サーボ領域ＳＶ２によってスプリットした後のフォーマットは、ＳＹＮＣ（１６バイト），ＤＡＴＡ（４０４バイト），ＥＣＣ（１１バイト），ＰＡＤ（３バイト）の順となっている。
【００２２】すなわち、同図（Ｄ）の第１の論理セクタＬＳ１のフォーマットと比較すれば明らかなように、サーボ領域ＳＶ１，ＳＶ２，……によってスプリットしたデータの後にはデータの終了を示すＰＡＤ部が付加され、スプリットしたデータの頭には同期をとるためのＳＹＮＣ部が付加される。なお、後述する駆動装置で磁気ディスクに書込みあるいは読み出されるデータは、ＤＡＴＡ部の部分であり、それ以外の部分は、例えば磁気ディスクの工場出荷時におけるフォーマット時に予め書き込まれる。
【００２３】更に、前記ＩＤ部には、例えば同図（Ｅ）に示すような情報が含まれている。先頭から説明すると、ＳＹＮＣ，ＡＭ，ＯＦＦＳＥＴ（代替セクタの飛び先アドレスを示す情報），ＨＥＡＤ，ＣＹＬ，ＳＥＣ，ＦＬＧ，ＳＰＬＩＴ，ＣＲＣ，ＰＡＤの順となっている。各情報は、通常１バイト（８ビット）で構成されるが、必要に応じて４ビットや１２ビットなどで構成される。
【００２４】これらのうち、ＦＬＧ部（４ビット）にはデータがスプリットしているかどうかのフラグがたてられており、ＳＰＬＩＴ部（１２ビット）には、その論理セクタがどの位置でサーボゲートによってスプリットされているのかを示すデータ，例えばスプリットされるバイト数が格納されている。スプリットされるバイト数は、各ゾーン毎，各論理セクタ毎に異なっており、本実施例では次の表１のようになっている。
【００２５】【表１】　・・・（省略）・・・　」
　 (iii)「【００２８】次に、ゾーンＺ１の次の物理セクタＳ２の前部分には、前記第２論理セクタＬＳ２の残りであるＳＹＮＣ＝１６バイト，ＤＡＴＡ＝４０４バイト，ＥＣＣ＝１１バイト，ＰＡＤ＝３バイトが各々順に記録されている。つまり、第２論理セクタＬＳ２については、１０８バイトが物理セクタＳ１に、残りの４０４バイトが物理セクタＳ２にというようにスプリットしている。以下の論理セクタについても同様である。
【００２９】　・・・（省略）・・・
【００３０】このようなスプリット情報がＩＤ部に記録されている。従って、ＩＤ部のＦＬＧ部（図３（Ｅ）参照）からその論理セクタがスプリットしているかどうかを知ることができ、更にＳＰＬＩＴ部から何バイト目でスプリットしているかを知ることができる。これらの情報に基づいて、論理セクタＬＳ１，ＬＳ２，……にアクセスすることが可能となる。」
　 (iv)「【００３７】次に、図４を参照しながら、上述したフォーマットの磁気ディスクの駆動装置の一実施例について説明する。同図において、磁気ディスク１０に対してアクセスするためのヘッド１２，１４はリード／ライト（Ｒ／Ｗ）アンプ１６に接続されており、このＲ／Ｗアンプ１６はデータの読出し，書込みの制御を行うＲ／Ｗコントローラ１８のパルスディテクタ２０に接続されている。パルスディテクタ２０は更にデータセパレータ２２に接続されており、このデータセパレータ２２は、外部とのデータ授受の制御を行うハードディスクコントローラ２４に接続されている。
【００３８】ハードディスクコントローラ２４には、適宜のバスによって、前記データセパレータ２２，メモリ２６，各種のウインドウパルスなどを生成するゲートアレイ２８，全体の動作制御用のマイクロコンピュータ３０，及び接続端子３２が接続されている。この接続端子３２は、ホスト側のパーソナルコンピュータ（図示せず）に接続されている。
【００３９】他方、磁気ディスク１０を回転させるＳＰＭ（スピンドルモータ）３４にはＳＰＭドライバ３６が接続されており、ヘッド１２，１４を移動させるＶＣＭ（ボイスコイルモータ）３８にはＶＣＭドライバ４０が接続されている。また、上述したゲートアレイ２８の出力側がＳＰＭドライバ３６に接続されており、サーボ制御部４２がＶＣＭドライバ４０に接続されている。その他、ゲートアレイ２８とサーボ制御部４２，それらとパルスディテクタ２０の間もそれぞれ接続されており、各モータ３４，３８及びサーボ制御部４２もマイクロコンピュータ３０に接続されている。」
　 (v)「【００４１】このように構成された駆動装置の動作は、実用化されている一般的なハードディスクドライブと基本的には同様であり、パーソナルコンピュータから接続端子３２を介して磁気ディスク１０にアクセスがあった場合、ゲートアレイ２８，マイクロコンピュータ３０，サーボ制御部４２の指示に基づいて各ドライバ３６，４０によりＳＰＭ３４，ＶＣＭ３８が各々駆動される。そして、磁気ディスク１０の所要のアドレスにヘッド１２，１４が移動してアクセスし、Ｒ／Ｗコントローラ１８の指示に基づいてＲ／Ｗアンプ１６によりデータの読出し又は書込みが行われる。」
　 (vi)「【００４５】ハードディスクコントローラ２４では、疑似セクタパルス及びＩＤ部の前記情報に基づいてデータが読み取られる。例えば、図３で、論理セクタＬＳ２のデータを読み出す場合について説明する。ハードディスクコントローラ２４は、擬似セクタパルス（図３（Ｃ）参照）の入力以降のデータのＩＤ部を順に探し、論理セクタＬＳ２のＩＤが該当するものに一致したならば、そのセクタがスプリットされているかどうかをＦＬＧ部で認識し、更にデータの何バイト目でスプリットしているかをＳＰＬＩＴ部で認識する（同図（Ｅ）参照）。
　【００４６】この例では、前半１０８バイトでスプリットしているので、まずＤＡＴＡ部の１０８バイトのデータが読み込まれＰＡＤ部の読み込みの後、サーボ領域ＳＶ２のサーボゲートが来るために読み込みを中断する。サーボゲート終了後、ＳＹＮＣ部で再び同期を取り直して、後半の４０４バイトのデータ読み込みを再開する。書込みの場合も同様である。このように、本実施例によれば、物理セクタと論理セクタとが一致しないものの、疑似セクタパルスを利用して論理セクタのデータが良好に読出しあるいは書込まれる。」
　
　以上の記載を論理セクタの詳細なフォーマット例を示した【図３】、及び、磁気ディスクの駆動装置のブロック図を示す【図４】を参照して整理すると、結局、刊行物１には、以下のとおりの磁気ディスク装置に関する発明が記載されているものと認める。
　
　「磁気ディスクに対してアクセスするためのヘッドと、
　ヘッドに接続されるリード／ライト（Ｒ／Ｗ）アンプと、
　このＲ／Ｗアンプに接続され、データの読出し，書込みの制御を行うＲ／Ｗコントローラのパルスディテクタと、
　パルスディテクタに接続されるＲ／Ｗコントローラのデータセパレータと、
　このデータセパレータに接続され、外部とのデータ授受の制御を行うハードディスクコントローラと、
　全体の動作制御用のマイクロコンピュータとを備えた磁気ディスク装置であって、
　磁気ディスクは、セクタサーボ方式に従ったサーボ情報がトラックの内外周で同じ時間的位置で、放射状に記録されて、サーボ情報領域間に物理セクタが割付けられ、多数のトラックをディスク半径方向に複数のゾーンに分割するとともに、各ゾーン内では同数、ゾーン間では内外周差に対応した数となるように論理セクタを設定し、複数のゾーンのうちの１つは、サーボ情報と同数のセクタが設定されており、磁気ディスクのＩＤ部に、論理セクタのデータ部がサーボ情報によってスプリットしているかどうかのフラグがたてられるＦＬＧ部と、その論理セクタがどの位置でスプリットされているのかを示すデータを格納するＳＰＬＩＴ部を設けた磁気ディスク装置。」
　
　(2)刊行物２の記載
　刊行物２は、「上位計算機からの指示により、データの書込みおよび読出しを行う磁気ディスク装置における媒体欠陥のあるセクタ管理方法に関する」としてなされた磁気ディスク装置の媒体欠陥管理方法について、以下の記載がある。
　 (vii)「【請求項１】磁気ディスク媒体の欠陥の有無を調べ、ある部分に欠陥があるとき、この欠陥がセクタ内のデータ部に来るようにセクタを配置すると共に、該データ部をこの欠陥を避けて分割配置し、このセクタ内のデータ部の分割情報を当該セクタのＩＤ部に書き込み、当該セクタのリード／ライト時にこのＩＤ部より前記分割情報を獲得し、当該セクタに対して前記欠陥を避けてリード／ライト処理を行うことを特徴とする磁気ディスク装置の媒体欠陥管理方法。」（【特許請求の範囲】）
　 (viii)「【００１０】【作用】媒体フォーマット時に欠陥部分を避けるようにセクタ内を分割し、この分割情報をデータ部より先に読まれるＩＤ部に書き込んでおく。リード／ライト時にこのＩＤ部よりセクタ分割情報を読み取り、それに従ってセクタデータを分割してリード／ライトする。
【００１１】このようにセクタサイズに比較して微小な欠陥部分をセクタ内分割により避けるようにすることで、欠陥のあるセクタ全体を代替えすることなく、ディスク使用効率およびデータのリード／ライト動作をほぼ欠陥のないセクタと同等とすることができる。」
　 (ix)「【００１７】分割タイミング生成部１１は本発明において追加したものであり、欠陥部分を内部に含むためにデータ部が分割されているセクタのＲ／Ｗ時にデータ分割のタイミングを発生する。図２は欠陥を含むセクタの構成を示す。即ち媒体に欠陥がある場合には、その部分を避けるようにトラック２１をフォーマットする。このフォーマット時には欠陥部がセクタ２２内のデータ部２４に入るようにセクタ位置が決められ、この例では欠陥部はＧＡＰ２４Ｇ内に存在している。そしてこのセクタのデータ部２４は欠陥のあるＧＡＰ２４Ｇによりデータ部＃１（２４−１）とデータ部＃２（２４−２）に分割される。そしてデータ部＃２（２４−２）の頭にも通常のデータ部２４と同様にＶＦＯ部２５、ＳＹＮＣ部２６が付加され、リードライト部３で同期を取れるようになっている。また、データ＃１（２４−１）のデータ長と、ＧＡＰ２４Ｇの長さはＩＤ部２３のＦＬＡＧ部３０に書き込まれている。この情報は、データＲ／Ｗ時にＩＤ部２３のリードと同時にフォーマッタ部７によって読み込まれ、このセクタが目的セクタであることが検出されると分割タイミング生成部１１へ送られる。分割タイミング生成部１１はこの情報を用いてフォーマッタ部７による読み込み（または書き込み）データ数をカウントし、前半のデータ部＃１（２４−１）の末尾に一致した時点でデータ部の読み込み（または書き込み）を中断し、ＧＡＰ２４Ｇを通過する指定期間経過後、後半のデータ部＃２（２４−２）の読み込み（または書き込み）を開始するようフォーマッタ部７に対して指示を出す。」
　
　
３．対比・判断
　(1)本願発明と刊行物１記載の発明との対比
　いずれの発明も、磁気ディスク装置において、磁気ディスクのセクタのデータ部にサーボ情報による分裂（スプリット）部が生じた場合、分裂部の位置情報を磁気ディスクのＩＤ部に記録する点で共通するものである。
　刊行物１記載の発明におけるＲ／Ｗコントローラ及びハードディスクコントローラが本願発明におけるヘッドの読み書き制御回路とヘッドによってディスクに読み書きされるデータを処理する処理回路に相当するものと認める。
　刊行物１記載の発明の磁気ディスクにおいて、サーボ情報がトラックの内外周で同じ時間的位置で、放射状に記録され、サーボ情報領域間に物理セクタが割付けられていることから、サーボ情報が物理セクタに対応する一定間隔でセクタ状に配置されていることも明らかである。
　
　結局、本願発明と刊行物記載の発明とは、以下の〔一致点〕及び〔相違点〕が認められる。
　
　〔一致点〕
　「磁気ディスク上のデータを読み書きするヘッドと、このヘッドの読み書き制御回路と、ヘッドによってディスクに読み書きされるデータを処理する処理回路とを備えた磁気ディスク装置であって、磁気ディスクのデータ面に、ヘッドの位置決め用のサーボ情報が一定の間隔でセクタ状に配置されると共に、あるセクタのデータ部が前記サーボ情報によって分裂して記録される際の、データ部の分裂位置の情報が、前記磁気ディスクのデータ面の各セクタのＩＤ部に記録されている磁気ディスク装置。」
　
　〔相違点〕
　 (a)セクタのデータ部に媒体欠陥があるとき、本願発明では、その媒体欠陥部を使用せずにデータを分裂させた時に発生するデータ部の分裂位置についても、各セクタのＩＤ部に記憶しているのに対して、刊行物１記載の発明では、媒体欠陥による分裂について想定していない点。
　 (b)磁気ディスクのサーボ方式について、本願発明では、エンベデッドサーボ方式を採用しているのに対して、刊行物１記載の発明では、セクタサーボ方式を採用している点。
　 (c)サーボ情報及び媒体欠陥部によるデータ部の分裂位置情報について、本願発明では、磁気ディスクのＩＤ部と共に磁気ディスクに内蔵された記憶手段に記録しているのに対して、刊行物１記載の発明では、このような要件を備えていない点。
　
　(2)上記各相違点についての判断
　 相違点(a)について
　刊行物２のものは上記したとおり、磁気ディスク装置における媒体欠陥のあるセクタ管理方法に関する発明について記載されている。そして、磁気ディスク媒体の欠陥の有無を調べて、ある部分に欠陥があるとき、この欠陥がセクタ内のデータ部にくるようにセクタを配置するとしてはいるが、セクタ内の媒体の欠陥によるデータ部の分割情報を当該セクタのＩＤ部に書き込み、当該セクタのリード／ライト時にこのＩＤ部より前記分割情報を獲得し、当該セクタに対してこの欠陥を避けてリード／ライト処理を行うことが記載されている。
　具体的には、図２を用いて、セクタのデータ部２４が、欠陥のあるＧＡＰ２４Ｇによりデータ部＃１（２４−１）とデータ部＃２（２４−２）に分割されるとき、データ＃１（２４−１）のデータ長と、ＧＡＰ２４Ｇの長さが、ＩＤ部２３のＦＬＡＧ部３０に書き込まれているとされ（上記２．(ix)の【００１７】参照）、データ＃１（２４−１）のデータ長と、ＧＡＰ２４Ｇの長さが分割情報であって、媒体欠陥による分割（分裂）位置の情報に相当することは明らかである。
　刊行物１記載の発明は、セクタデータ部の分裂がサーボ情報によるものではあるが、その分裂部も、刊行物２記載の発明における媒体欠陥による分割（分裂）部も、データの書き込みには使用しない部分である点では共通するものであり、刊行物１記載の発明においても、セクタデータ部に媒体欠陥による分裂部がある場合、サーボ情報による分裂位置情報と共に、媒体欠陥による分裂位置情報をＩＤ部に記録することは、格別の困難性を要すことなく、適宜容易に採用し得る範囲内のことと認める。
　
　 相違点(b)について
　磁気ディスクのサーボ方式において、エンベデッドサーボ方式、セクタサーボ方式は、いずれも、データ面サーボ方式としてごく周知の方式であり（例：特開平４−２４１２６８号公報，特開平６−６０５７２号公報等参照）、セクタのデータ部がサーボ情報領域で分裂される態様に差異はなく、刊行物１記載の発明において、磁気ディスクのサーボ方式として、エンベデッドサーボ方式は、格別の困難性を要すことなく、適宜容易に採用し得る範囲内のものと認める。
　
　 相違点(c)について
　本願発明は、データ部の分裂位置情報を磁気ディスク自体と磁気ディスク装置内蔵の記憶手段に記録するものである。即ち、本願発明では、分裂位置情報についての記録手段を冗長系で構成していることになる。いわゆる冗長系は、各種装置の安全装置に採用される一手段として、ごく周知の手段であり、技術分野を問わず、必要に応じて適宜に採用されるものであるから、磁気ディスク装置においても、データ部の分裂位置情報についての記録手段を冗長系で構成することに、格別の困難性はなく、必要に応じて適宜容易に採用し得るものと認める。
　また、磁気ディスク装置において、ＩＤ情報についての記憶手段として、半導体メモリ等のような磁気ディスク装置に内蔵されたものを用いることは、ごく周知のことであり（必要があれば、例えば、実願昭６１−１８３０３６（実開昭６３−８７６７７）のマイクロフィルム，実願平３−４６５４５（実開平４−１３７５５１）のマイクロフィルム，特開平２−３００８１７号公報等参照）、刊行物１記載の発明においても、磁気ディスク自体と共に、磁気ディスク装置に内蔵された記憶手段を用いて、データ部の分裂位置情報を記憶させることは、格別の困難性を要すことなく、必要に応じて適宜になし得る範囲内のものと認める。
　
　結局、本願発明は、刊行物１に記載された発明、及び、刊行物２ないし周知技術から当業者が容易に発明し得たものである。
　
　
４．むすび
　以上のとおり、本願請求項１に係る発明は刊行物１、及び、刊行物２ないし周知技術に基づいて当業者が容易に発明をすることができたものであるから、特許法２９条第２項の規定により特許を受けることができないとした原査定は妥当なものである。
　したがって、本願は、その余の請求項について論及するまでもなく、拒絶すべきものである。
　
　よって、結論のとおり審決する。